(57)【要約】【課題】フラットケーブルを変形させずに積層状に束ねることができるフラットケーブル結束ホルダーを提供すること。【解決手段】フラットケーブル結束ホルダー１０は、少なくとも２つのフラットケーブル８０を幅方向に湾曲変形させずに挟み込みながらカバー１２、第１ホルダー本体１１および第２ホルダー本体５１を積層状に係合させることができる。よって、少なくとも２つのフラットケーブルを変形させずに積層状に束ねることができる。【選択図】図７
2007028872.tif 000002
【特許請求の範囲】
【請求項１】
複数のフラットケーブルを積層状に束ねるために当該複数のフラットケーブルに取り付けられるフラットケーブル結束ホルダーであって、
第１ホルダー本体と、
前記第１ホルダー本体との間に前記複数のフラットケーブルのうち一つの第１フラットケーブルを挟み込むように前記第１ホルダー本体と係合可能なカバーと、
前記第１ホルダー本体との間に前記複数のフラットケーブルのうち一つの第２フラットケーブルを挟み込みながら前記第１ホルダー本体と積層されるように係合可能な第２ホルダー本体と、
を備え、
前記第１ホルダー本体が、前記第１フラットケーブルを載置するために前記第１ホルダー本体の上面に設けられた複数の本体側溝部と、前記第１ホルダー本体の側部に設けられた係止突起および係止孔と、前記側部下方側に設けられた係合受部と、を有し、
前記カバーが、その下面を前記第１ホルダー本体の前記本体側溝部に対向させながら前記第１ホルダー本体と係合した際に前記本体側溝部とともに前記第１フラットケーブルを支持するための、前記下面に形成された、複数のカバー側溝部と、前記第１ホルダー本体と係合した際に前記第１ホルダー本体の前記係止孔と係合する係合部と、を有し、
前記第２ホルダー本体が、前記第２フラットケーブルを載置するために前記第２ホルダー本体の上面に設けられた複数の本体側溝部と、前記第２ホルダー本体の側部に設けられた係止突起および係止孔と、前記第２ホルダー本体の側部下方側に設けられた係合受部と、を有し、そして
前記第２ホルダー本体が前記第１ホルダー本体と係合される際に、前記第１ホルダー本体の前記係合受部に前記第２ホルダー本体の前記係止突起が係合することを特徴とするフラットケーブル結束ホルダー。
【請求項２】
前記複数のフラットケーブルは、各々、複数の電線部と、それら複数の電線部を平行にそれらの絶縁外皮間を繋ぐように当該絶縁外皮に一体的に形成されたブリッジ部と、前記ブリッジ部に形成された切欠と、を備え、
前記第１ホルダー本体および前記第２ホルダー本体が、前記ブリッジ部の切欠に挿通されるケーブル支持突起を前記本体側溝部の間に有し、そして
前記カバーが、前記ケーブル支持突起を挿着する突起保持部を有することを特徴とする請求項１に記載したフラットケーブル結束ホルダー。
【発明の詳細な説明】
【技術分野】
【０００１】
本発明は、例えば、ＦＦＣ｛即ち、Ｆｌｅｘｉｂｌｅ  Ｆｌａｔ  Ｃａｂｌｅ（フレキシブルフラットケーブル）｝、リボン電線、等といった可撓性を有する複数のフラットケーブルを束ねるのに用いるフラットケーブル結束ホルダーに関する。
【背景技術】
【０００２】
複数のフラットケーブルを束ねるために、粘着テープ等テープを用いたテープ巻きが一般的に行なわれている。
【０００３】
しかし、複数のフラットケーブルをテープ巻きによって束ねると、テープが収縮したり、巻く際の大きな巻き付け力がかかったりすることで、複数のフラットケーブルがそれぞれ幅方向に湾曲変形され、それによって幅方向を直線状にした並列状態とならなくなるために、本来の可撓性を失いかねない。よって、例えば車体パネル等の被取付体上に沿って望み通りに配策することができない可能性が高い。
【発明の開示】
【発明が解決しようとする課題】
【０００４】
本発明は、上述した事情に鑑みてなされたものであり、その目的は、フラットケーブルを変形させずに積層状に束ねることができるフラットケーブル結束ホルダーを提供することにある。
【課題を解決するための手段】
【０００５】
前述した目的を達成するため、本発明に係るフラットケーブル結束ホルダーは、下記（１）、（２）および（３）を特徴としている。
（１）  複数のフラットケーブルを積層状に束ねるために当該複数のフラットケーブルに取り付けられるフラットケーブル結束ホルダーであって、
第１ホルダー本体と、
前記第１ホルダー本体との間に前記複数のフラットケーブルのうち一つの第１フラットケーブルを挟み込むように前記第１ホルダー本体と係合可能なカバーと、
前記第１ホルダー本体との間に前記複数のフラットケーブルのうち一つの第２フラットケーブルを挟み込みながら前記第１ホルダー本体と積層されるように係合可能な第２ホルダー本体と、
を備え、
前記第１ホルダー本体が、前記第１フラットケーブルを載置するために前記第１ホルダー本体の上面に設けられた複数の本体側溝部と、前記第１ホルダー本体の側部に設けられた係止突起および係止孔と、前記側部下方側に設けられた係合受部と、を有し、
前記カバーが、その下面を前記第１ホルダー本体の前記本体側溝部に対向させながら前記第１ホルダー本体と係合した際に前記本体側溝部とともに前記第１フラットケーブルを支持するための、前記下面に形成された、複数のカバー側溝部と、前記第１ホルダー本体と係合した際に前記第１ホルダー本体の前記係止孔と係合する係合部と、を有し、
前記第２ホルダー本体が、前記第２フラットケーブルを載置するために前記第２ホルダー本体の上面に設けられた複数の本体側溝部と、前記第２ホルダー本体の側部に設けられた係止突起および係止孔と、前記第２ホルダー本体の側部下方側に設けられた係合受部と、を有し、そして
前記第２ホルダー本体が前記第１ホルダー本体と係合される際に、前記第１ホルダー本体の前記係合受部に前記第２ホルダー本体の前記係止突起が係合すること。
（２）  前記複数のフラットケーブルは、各々、複数の電線部と、それら複数の電線部を平行にそれらの絶縁外皮間を繋ぐように当該絶縁外皮に一体的に形成されたブリッジ部と、前記ブリッジ部に形成された切欠と、を備え、
前記第１ホルダー本体および前記第２ホルダー本体が、前記ブリッジ部の切欠に挿通されるケーブル支持突起を前記本体側溝部の間に有し、そして
前記カバーが、前記ケーブル支持突起を挿着する突起保持部を有すること。
（３）  前記第１ホルダー本体および前記第２ホルダー本体が同じ構造を有すること。
【０００６】
上記（１）の構成のフラットケーブル結束ホルダーによれば、２つのフラットケーブルを幅方向に湾曲変形させずに挟み込みながらカバー、第１ホルダー本体および第２ホルダー本体を積層状に係合させることができる。２つのフラットケーブルを変形させずに積層状に束ねることができる。
上記（２）の構成のフラットケーブル結束ホルダーによれば、本体側溝部にフラットケーブルを載置する際に、ケーブル支持突起がフラットケーブルのブリッジ部の切欠に挿通され、突起保持部がケーブル支持突起を保持するため、フラットケーブルの位置決めを図るとともに、長さ方向に対する大きな保持力を得ることができるので、フラットケーブルを位置ずれすることなく、確実に保持することができる。
上記（３）の構成のフラットケーブル結束ホルダーによれば、第１ホルダー本体および第２ホルダー本体が同じ構造を有するので、ホルダー本体自体の製造ならびに部品管理が容易になり、その上、フラットケーブル結束ホルダーのフラットケーブルへの取付けも間違えることなく容易となるので、コストダウンを図ることができる。また、第１ホルダー本体および第２ホルダー本体と同じ構造を有する第３ホルダー本体、第４ホルダー本体、等を用いて、３つ以上のフラットケーブルを変形させずに積層状に束ねることができる。
【発明の効果】
【０００７】
本発明のフラットケーブル結束ホルダーによれば、フラットケーブルを変形させずに積層状に束ねることができるフラットケーブル結束ホルダーを提供することができる。
【０００８】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【０００９】
以下、本発明に係る好適な実施の形態例を図面に基づいて詳細に説明する。
【００１０】
図１は本発明に係るフラットケーブル結束ホルダーの一実施形態のホルダー本体の外観斜視図、図２は図１のホルダー本体に組み付けられる本発明のフラットケーブル結束ホルダーの一実施形態のカバーの外観斜視図、図３は本発明に係るフラットケーブル結束ホルダーの一実施形態によって保持されるフラットケーブルの外観斜視図、図４は図１のホルダー本体をフラットケーブルに組付けた状態を示す外観斜視図、図５は図４のホルダー本体にカバーを組付けた状態を示す外観斜視図、図６は図５のＶＩ−ＶＩ矢視縦断面図、そして図７は図４のホルダー本体を複数積層状に係合させた状態の本発明に係るフラットケーブル結束ホルダーの一実施形態の外観斜視図である。
【００１１】
図１，図２に示されるように、本発明の一実施形態であるフラットケーブル結束ホルダー１０は、ホルダー本体１１と、カバー１２と、を備えており、フラットケーブル（図３参照。）８０を保持するのに用いられる。
【００１２】
ホルダー本体１１は、合成樹脂により一体成形されており、板形状をなす基部１３と、本体側溝部１４と、係止部１５と、係合受部１６と、ケーブル支持突起１７と、を有する。
【００１３】
本体側溝部１４は、基部１３の上面に、フラットケーブル８０の４本の電線部（図３参照。）８１を支持するために、凹面状に４個形成されている。この本体側溝部１４は、フラットケーブル８０の各電線部８１における下方側の略半周部分を支持する。
【００１４】
係止部１５は、係止孔１８と係止突起１９とからなり、基部１３の両側部に一対に設けられた突板２０にそれぞれ形成されている。
【００１５】
係止孔１８は、突部２０の中央部に成形されており、カバー１２の係合部（図２参照。）２１を挿入することで、カバー１２がホルダー本体１１に組み付けられる。
【００１６】
係止突起１９は、突板２０の内側に、楔形状にして突出形成されており、カバー１２の係合部２１が係止孔１８に挿入された際に、係合部２１の抜け止めが図られる。
【００１７】
係合受部１６は、基部１３の側部下方側に設けられた凹部２２内に設けられており、複数のホルダー本体１１を積層する際に、下方側に配置されている、ホルダー本体１１と同一構造の他のホルダー本体（図６参照。）５１の突板５３（図６参照。）を挿入させて係止突起（図６参照。）５４を係合させることで、ホルダー本体１１をそのホルダー本体５１に一体に組み付けるのに用いられる。このように、係合受部１６は、積層用のみに用いられる。
【００１８】
ケーブル支持突起１７は、４個の本体側溝部１４の間に板状に３個突出形成されている。各ケーブル支持突起１７は、フラットケーブル８０の各電線部８１の間の各ブリッジ部（図３参照。）８２に形成された各切欠（図３参照。）８３に挿入される。
【００１９】
カバー１２は、合成樹脂により一体成形されており、板形状をなす基部２２と、カバー側溝部２３と、係合部２１と、突起保持部２４と、を有する。
【００２０】
カバー側溝部２３は、基部２２の下面に、ホルダー本体１１の本体側溝部１４に対向するように凹面状に４個形成されている。このカバー側溝部２３は、カバー１２がホルダー本体１１に組み付けられることで、フラットケーブル８０の各電線部８１における上方側の略半周部分を支持する。
【００２１】
係合部２１は、基部２２の両側部に四角突起形状で一対設けられており、ホルダー本体１１の係止孔１８にそれぞれ挿入される。
【００２２】
突起保持部２４は、ホルダー本体１１の３個のケーブル支持突起１７に対向する位置に、基部２２に貫通孔状に３個形成されている。各突起保持部２４は、カバー１２がホルダー本体１１に組み付けられることで、３個のケーブル支持突起１７をそれぞれ挿入して保持する。
【００２３】
図３および図６に示されるように、フラットケーブル８０は、複数の導線からなる導体部と該導体部の外周面を被覆する絶縁外皮とを有する電線部８１を４つ備え且つそれら電線部８１を平行にそれらの絶縁外皮間を繋ぐように当該絶縁外皮にそれぞれ一体的に形成された可撓性を有するブリッジ部８２を更に備えた、一般的にＦＦＣと称されるものである。フラットケーブル８０のブリッジ部８２には、ホルダー本体１１のケーブル支持突起１７の位置に合わせて、スリット状の切欠８３が貫通形成されている。尚、電線部８１の本数は、適用される回路数に応じて適宜選択される。
【００２４】
図４に示されるように、ホルダー本体１１にフラットケーブル８０を組み付けるに際しては、ホルダー本体１１の各本体側溝部１４にフラットケーブル８０の各電線部８１を載置する。このとき、フラットケーブル８０の各ブリッジ部８２に有する各切欠８３が各ケーブル支持突起１７にそれぞれ挿入される。
【００２５】
図５に示されるように、図４に示すホルダー本体１１にカバー１２が組み付けられる。カバー１２は、カバー側溝部２３がフラットケーブル８０の各電線部８１上に配置されるようにホルダー本体１１に組み合わされてから、各係合部２１がホルダー本体１１の係止孔１８にそれぞれ挿入される。このとき、カバー１２の各突起保持部２４にホルダー本体１１の各ケーブル支持突起１７がそれぞれ挿入される。
【００２６】
図６に示されるように、ホルダー本体１１の下面には、下方に仮想線で示す他のホルダー本体５１を積層する際に、そのホルダー本体５１に有する３個のケーブル支持突起５５を収容するために、３個の収容凹部２５を各ケーブル支持突起５５の位置に合わせて有する。
【００２７】
このように、単一のフラットケーブル８０を保持する場合には、単一のフラットケーブル８０を単一のホルダー本体１１と単一のカバー１２とによって挟み込むことで、フラットケーブル８０を湾曲させることなく保持することができる。そして、この保持状態のフラットケーブル結束用ホルダー１０を不図示の車体パネル上に同じく不図示の車体パネル係止手段等を用いて固定することでフラットケーブル８０を車体パネルに沿って配策することができる。
【００２８】
図７に示されるように、複数の２本のフラットケーブル８０，８０を積層するに際しては、ホルダー本体１１とカバー１２とで上方側のフラットケーブル８０を挟み込んで保持したところで、下方側のフラットケーブル８０を、積層されるホルダー本体５１上に載置し、このホルダー本体５１の各係止突起（図６参照。）５３をホルダー本体１１の各凹部２２内に挿入して各係合受部１６に係合させる。このとき、下方側に配置されるホルダー本体５１のケーブル支持突起（図６参照。）５５が収容凹部（図６参照。）２５内に収容される。そして、カバー１２と２個のホルダー本体１１，５１からなる組体を車体パネルに係止することで、２本のフラットケーブル８０，８０を積層して車体パネルに沿って配策することができる。尚、フラットケーブル８０を２本以上積層する場合には、組体の下方側に配置されているホルダー本体５１の係合受部５２に、以下のホルダー本体の係止突起を順次係合させていくことで簡単に行なうことができる。
【００２９】
このフラットケーブル結束用ホルダー１０によれば、ホルダー本体１１の各本体側溝部１４にフラットケーブル８０を載置し、カバー１２の各係合部２１，２１をホルダー本体１１の各係止孔１８，１８にそれぞれ係合させることで、ホルダー本体１１の各本体側溝部１４とカバー１２の各カバー側溝部２３とでフラットケーブル８０を平面にして支持することができる。また、複数のフラットケーブル８０，８０を積層する場合に、ホルダー本体１１の各係合受部１６に、積層されるホルダー本体５１の各係止突起５４を係合することで、複数のホルダー本体１１，５１を連結させて多数のフラットケーブル８０，８０を積層することができる。これにより、複数のフラットケーブル８０，８０を変形させないで束ねることができる。
【００３０】
また、フラットケーブル結束用ホルダー１０によれば、ホルダー本体１１の本体側溝部１４にフラットケーブル８０を載置する際に、各ケーブル支持突起１７がフラットケーブル８０の各ブリッジ部８２に有する各切欠８３に挿通され、カバー１２がホルダー本体１１に組み付けられることで、カバー１２の各突起保持部２４が各ケーブル支持突起１７を保持するために、フラットケーブル８０の位置決めを図るとともに、長さ方向に対する大きな保持力を得ることができるので、フラットケーブル８０を位置ずれすることなく、確実に保持することができる。
【００３１】
その上、フラットケーブル結束用ホルダー１０によれば、ホルダー本体１１およびホルダー本体５１が同じ構造を有するので、ホルダー本体自体の製造ならびに部品管理が容易になり、その上、フラットケーブル結束ホルダー１０のフラットケーブル８０への取付けも間違えることなく容易となるので、コストダウンを図ることができる。また、ホルダー本体１１（第１ホルダー本体）およびホルダー本体５１（第２ホルダー本体）と同じ構造を有する第３ホルダー本体、第４ホルダー本体、等を用いて、３つ以上のフラットケーブルを変形させずに積層状に束ねることもできる。
【００３２】
また、フラットケーブル結束用ホルダー１０によれば、複数のフラットケーブル８０を３次元で縦方向に積層できるために、スペースの限られた例えば車体パネル等の被取付体上に省スペースで複数のフラットケーブル８０を配策することができる。
【００３３】
また、フラットケーブル結束用ホルダー１０によれば、カバー１２の係合部２１をホルダー本体１１の係止孔１８に挿入するだけで組付けを行なうことができるので、ねじ止めを行なうものと比べて、作業性を良好にすることができる。
【００３４】
また、フラットケーブル結束用ホルダー１０によれば、ホルダー本体１１とカバー１２とが単材料部品であるために、リサイクル性に富み、分別の必要がない。
【００３５】
また、フラットケーブル結束用ホルダー１０によれば、従来用いられていたテープを廃止することで、部品管理を簡略化して生産性の向上を図ることができる。
【００３６】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【００３７】
例えば、カバーをホルダー本体にヒンジ等を介して着脱自在に連結しておき、積層する必要が生じた際に、一番上のカバーを除いて他のカバーを取り外して用いるようにしてもよい。そうすれば、カバーとホルダー本体とを一体成形することができるので、生産性の向上を図ることができる。
【００３８】
以上、説明したように、本発明のフラットケーブル結束ホルダーは、少なくとも２つのフラットケーブルを幅方向に湾曲変形させずに挟み込みながらカバーおよび複数のホルダー本体を積層状に係合させることができるので、少なくとも２つのフラットケーブルを変形させずに積層状に束ねることができ、よって例えば、ＦＦＣ、リボン電線、等といった可撓性を有する複数のフラットケーブルを束ねるのに有用である。
【図面の簡単な説明】
【００３９】
【図１】本発明に係るフラットケーブル結束ホルダーの一実施形態のホルダー本体の外観斜視図である。
【図２】図１のホルダー本体に組み付けられる本発明のフラットケーブル結束ホルダーの一実施形態のカバーの外観斜視図である。
【図３】本発明に係るフラットケーブル結束ホルダーの一実施形態によって保持されるフラットケーブルの外観斜視図である。
【図４】図１のホルダー本体をフラットケーブルに組付けた状態を示す外観斜視図である。
【図５】図４のホルダー本体にカバーを組付けた状態を示す外観斜視図である。
【図６】図５のＶＩ−ＶＩ矢視縦断面図である。
【図７】図４のホルダー本体を複数積層状に係合させた状態の本発明に係るフラットケーブル結束ホルダーの一実施形態の外観斜視図である。
【符号の説明】
【００４０】
１０        フラットケーブル結束ホルダー
１１        ホルダー本体（第１ホルダー本体）
５１        ホルダー本体（第２ホルダー本体）
１２        カバー
１４        本体側溝部
１６        係合受部
１７，５５  ケーブル支持突起
１８        係止孔
１９，５４  係止突起
２１        係合部
２３        カバー側溝部
２４        突起保持部
８０        フラットケーブル
８１        電線部
８２        ブリッジ部
８３        切欠
【図１】
2007028872.tif 000003
【図２】
2007028872.tif 000004
【図３】
2007028872.tif 000005
【図４】
2007028872.tif 000006
【図５】
2007028872.tif 000007
【図６】
2007028872.tif 000008
【図７】
2007028872.tif 000009